(57)【要約】【課題】限られた数の衣類を急速に乾燥させる際の使用に特に適した衣類乾燥装置、及び／又は、コンパクトな構成に折りたたむことができ、保管及び／又は運搬を容易にする衣類乾燥装置を提供する。【解決手段】拡張可能及び折りたたみ可能な壁部を備えた上部及び下部ハウジングを備えた衣類乾燥装置であり、壁部は上部及び下部ハウジングの間に拡張されている。装置は少なくとも１本の支持ポール及び／又はブラケットを備え、上部ハウジングを支持し、壁部を拡張することができる。上部及び下部ハウジングは開口部を備え、少なくとも１本の支持ポール及び／又はブラケットの端部を摺動自在に受け入れることができる。送風組立体を通気孔を通じて空気を循環させるように構成された下部ハウジングの中に設置することができ、壁部が拡張された位置にある場合に、送風組立体は通気孔を通じてチャンバーの中に空気を循環させ、衣類を乾燥及びプレスしている。【選択図】図３
2008289886.tif 000002
【特許請求の範囲】
【請求項１】
衣類乾燥装置であって、
少なくとも１本の支持ポールと、
少なくとも１本の前記支持ポールの端を受け入れるための開口部を含んでいる上部ハウジングと、
少なくとも１本の前記支持ポールの他端を受け入れるための少なくとも１つの穴部を含んでいる下部ハウジングと、
前記ハウジングを互いに連結し、拡張可能及び折りたたみ可能であり、拡張された位置において、その中に衣類を受け入れるためのチャンバーを形成する壁部であって、前記チャンバーを選択的に開いたり閉じたりするシール部材を有する壁部と、
１以上の通気孔を通じて空気を循環させるように構成されている前記下部ハウジングの中に設置された送風組立体と、を備え、
前記壁部が前記拡張された位置にある場合に、前記送風組立体が、１以上の前記通風孔を通じて前記チャンバーの中に空気を循環させ、前記衣類を乾燥及びプレスすることを特徴とする衣類乾燥装置。
【請求項２】
前記送風組立体に電気的に接続された引込み可能電源コードを更に備えていることを特徴とする請求項１に記載の装置。
【請求項３】
前記上部ハウジングに関連する少なくとも１本の前記支持ポールを一時的に固定するように構成された前記上部ハウジングに設置された１以上の戻り止め機構を更に備えていることを特徴とする請求項１に記載の装置。
【請求項４】
前記下部ハウジングに関連する少なくとも１本の前記支持ポールを一時的に固定するように構成された前記下部ハウジングに設置されている少なくとも１つの戻り止め機構を更に備えていることを特徴とする請求項１に記載の装置。
【請求項５】
少なくとも１本の前記支持ポールが調整自在であることを特徴とする請求項１に記載の装置。
【請求項６】
前記上部及び下部ハウジングのうち一方がフランジを有し、壁部が折りたたみ位置にある場合に、他方の前記ハウジングが、前記上部及び下部ハウジングを機械的に付着させるための締結部材を有していることを特徴とする請求項１に記載の装置。
【請求項７】
前記下部ハウジングが前記送風組立体を持ち上げるための少なくとも１つの脚部を有していることを特徴とする請求項１に記載の装置。
【請求項８】
前記壁部は縫い目を介して前記ハウジングを互いに連結させていることを特徴とする請求項１に記載の装置。
【請求項９】
前記上部ハウジングは、衣類ハンガーを支持するように構成された支持部材を有していることを特徴とする請求項１に記載の装置。
【請求項１０】
端部を有し、扉部に取り付けられるように構成された少なくとも１本の支持ブラケットと、
少なくとも１つの前記支持ブラケットの端を摺動自在に受け入れるための少なくとも１つの開口部を含んでいる上部ハウジングと、
下部ハウジングと、
前記上部及び下部ハウジングを互いに連結し、拡張可能及び折りたたみ可能であり、拡張された位置において、その中に衣類を受け入れるためのチャンバーを形成する壁部であって、前記チャンバーを選択的に開いたり閉じたりするシール部材を有する壁部と、
前記下部ハウジングの中に設置され、１以上の通気孔を通じて空気を循環させるように構成されている送風組立体と、を備える衣類乾燥装置であって、
前記壁部が拡張された位置にある場合に、前記送風組立体が、１以上の通風孔を通じて前記チャンバーの中に空気を循環させ、前記衣類を乾燥及びプレスすることを特徴とする衣類乾燥装置。
【請求項１１】
少なくとも１つの前記支持ブラケットがヒンジ式に連結されていることを特徴とする請求項１０に記載の装置。
【請求項１２】
少なくとも１つの前記支持ブラケットが、前記上部ハウジングの中に設置された戻り止め機構と協働するように構成された少なくとも１つのノッチを有していることを特徴とする請求項１０に記載の装置。
【請求項１３】
前記送風組立体に電気的に接続された引込み可能電源コードを更に備えていることを特徴とする請求項１０に記載の装置。
【請求項１４】
前記上部ハウジングに関連する少なくとも１本の前記支持ブラケットを一時的に固定するように構成された前記上部ハウジングに設置されている少なくとも１つの戻り止め機構を更に備えていることを特徴とする請求項１０に記載の装置。
【請求項１５】
前記上部及び下部ハウジングのうち一方がフランジを有し、前記壁部が折りたたみ位置にある場合に、他方の前記ハウジングが、前記上部及び下部ハウジングを機械的に付着させるための締結部材を有していることを特徴とする請求項１０に記載の装置。
【請求項１６】
前記下部ハウジングが送風組立体を持ち上げるための少なくとも１つの脚部を有していることを特徴とする請求項１０に記載の装置。
【請求項１７】
前記壁部は縫い目を介して前記ハウジングを互いに連結させていることを特徴とする請求項１０に記載の装置。
【請求項１８】
前記上部ハウジングは、衣類ハンガーを支持するように構成された支持部材を有していることを特徴とする請求項１０に記載の装置。
【発明の詳細な説明】
【技術分野】
【０００１】
本発明は、概して、衣類乾燥装置に関する。
【背景技術】
【０００２】
本発明は、概して、家庭、アパート、ホテル、モーテル、等において使用することができる衣類乾燥装置に関する。
【０００３】
洗濯機は、場合によっては、「絞らずに干す」又は「形状記憶の」衣類を縮める及び／又は傷める場合がある。それゆえ、それらの衣類を手洗いする必要がある場合がある。次いで、これらの衣類は、様々な方法（例えば、タオル掛け、シャワーカーテンの竿、物干し用ロープ等に衣類を掛ける）を利用して、環境にさらされることによって、乾燥させることができる。しかし、度々、衣類を乾燥させるのに十分な空間がない、及び／又はそれ自体の工程に大変長い時間がかかる場合が多い。
【０００４】
これらの理由により、急速に衣類を乾燥させ、家庭及び／又は旅行中において使用するのに特に適した衣類乾燥装置が必要とされている。このような装置は、家庭での容易な保管のため、旅行者によって運ばれる付加的アイテムとして使用するため、及び／又はホテル又はモーテルによって、使用するために提供される付加的な設備として、好適とすることができる。
【発明の開示】
【発明が解決しようとする課題】
【０００５】
それゆえ、本発明の主たる目的は、新たな衣類乾燥装置を提供することにある。本発明の別の目的は、限られた数の衣類を急速に乾燥させる際の使用に特に適した衣類乾燥装置を提供することである。本発明の更に別の目的は、使用しない場合に、コンパクトな構成に折りたたむことができ、保管及び／又は運搬を容易にする、改善された衣類乾燥装置を提供することである。
【課題を解決するための手段】
【０００６】
本発明は、概して、衣類乾燥装置に関する。
【０００７】
本発明の実施形態は、少なくとも１本の支持ポール、少なくとも１本の支持ポールの端を摺動自在に受け入れるための少なくとも１つの開口部を含んでいる上部ハウジング、及び支持ポールの他端を受け入れるための少なくとも１つの開口部を含んでいる下部ハウジング、を含むことができる。拡張可能及び折りたたみ可能な壁部は、ハウジングを互いに連結し、拡張された位置において、その中に衣類を受け入れるためのチャンバーを形成することができる。壁部はシール部材を有し、選択的にチャンバーを開いたり閉じたりすることができる。送風組立体を下部ハウジングの中に設置し、１以上の通気孔を通じて空気を循環させることができ、送風組立体は、壁部が拡張された位置にある場合に、１以上の通気孔を通じて、チャンバーの中に空気を循環させ、衣類を乾燥及びプレスする。
【０００８】
本発明の別の実施形態は、扉に取り付けるために構成された少なくとも１つの支持ブラケット、その中に少なくとも１つのブラケットの端を摺動自在に受け入れるための少なくとも１つの開口部を含んでいる上部ハウジング、及び下部ハウジングを含むことができる。拡張可能及び折りたたみ可能な壁部は、ハウジングを互いに連結し、拡張された位置において、その中に衣類を受け入れるためのチャンバーを形成することができる。壁部はシール部材を有し、選択的にチャンバーを開いたり閉じたりすることができる。送風組立体を下部ハウジングの中に設置し、１以上の通気孔を通じて空気を循環させることができ、送風組立体は、壁部が拡張された位置にある場合に、１以上の通気孔を通じて、チャンバーの中に空気を循環させ、衣類を乾燥及びプレスする。
【０００９】
本発明は、多様な実施形態の特徴を備えている数々の別の装置、方法、及びシステムによって具体化することができる。本明細書に提供されている記述は、添付図面と併せた場合に、本発明の実例を開示する。また、本明細書において教示するような、いくつか又は全てのステップを組み入れている別の実施形態も可能である。
【００１０】
本開示の一部をなす図面を参照する。
【発明を実施するための最良の形態】
【００１１】
本発明は、概して、衣類乾燥に関する。最初に図１を参照すると、本発明の所定の実施形態で使用することができるような衣類乾燥装置１０が、閉じられた位置で示されている。図２〜３を参照すると、これらの図は、拡張された位置における図１の装置を示している。
【００１２】
図１〜３に見ることができるように、衣類乾燥装置１０は、上部及び下部ハウジング２０，２２と、これらハウジングの間に延びている一対の支持ポール１２と、ハウジング２０，２２と互いに連結されている拡張可能及び折りたたみ可能であり、その中に衣類を受け入れるためのチャンバーを形成している壁部１４を含んでいる。
【００１３】
図２は支持ポール１２の一対を図示している。これらの支持ポール１２は、伸縮自在及び／又は、別様に、調整可能とすることができる。この例においては一対の支持ポール１２が示されているが、任意の数の支持ポール１２を使用することができる。
【００１４】
図２〜３は壁部１４を図示している。拡張可能及び折りたたみ可能であってよいこの壁部１４は、ハウジング２０，２２と互いに連結されており、その中に衣類を受け入れるためのチャンバーを形成している。壁部１４はシール部材１６を有し、選択的にチャンバーを開いたり閉じたりすることができる。例として、示された実施形態においては、シール部材１６はチャックであるが、別の構成を用いることもできる。また、示された例においては、壁部１４は縫い目を介して、ハウジング２０，２２と接続することができる。この例においては縫い目が使用されているが、ボタンを含むが、それに限定はされない任意の好適な方法を用いることができる。
【００１５】
図４ａ〜ｄを参照すると、これらの図は上部及び下部ハウジング２０，２２の様々な図を図示している。例えば、図４ｃ〜ｄに見られるように、ハウジング２０，２２の一方はフランジ２４を有することができ、一方、ハウジングの他方は、閉じられた位置においてハウジング２０，２２を機械的に一つに付着させるための締結部材２６を有している。
【００１６】
また、上部及び下部ハウジング２０，２２は開口部を含んでおり、支持ポール１２のそれぞれの端をその中に摺動自在に受け入れることができる。例えば、図４ａは、上部ハウジング２０上の開口部２７を例示しており、一方図５は、下部ハウジング２２上の開口部２８を例示している。示された例においては一対の支持ポール１２が使用されているが、単一のポールを含む任意の数の支持ポール１２を使用することができる。
【００１７】
当技術分野で周知の戻り止め機構を、ハウジング２０，２２に関連する支持ポール１２を一時的に固定するように構成された上部及び下部ハウジング２０，２２に設置することができる。また、戻り止め機構は、ハウジング２０，２２に関連する支持ポール１２を一時的に固定するために、支持ポール１２そのものに設置することもできる。
【００１８】
図４ａ，ｃに見られるように、上部ハウジング２０には、ハンドル２９を設けることができ、例えば、閉じられた位置において装置を運搬すること、開いた位置において装置を移動することに役立つ。また、上部ハウジング２０には、例えばその内側表面に、壁部１４によって形成されたチャンバーの中に衣類ハンガーを支持するように構成されたブラケットを設けることができる。
【００１９】
今、図４ｂ，ｄを参照すると、本発明の所定の実施形態によって、下部ハウジング２２がまた、送風組立体３０（図５）と電気的に接続されている引込み可能電源コード３８を含むことができることが理解できる。加えて、空気流を促進するために、下部ハウジング２２は、送風組立体３０（図５）を持ち上げるための脚部４０を有することができる。さらに、脚部は、下部ハウジング２２上に傾斜した面を設けることに役立てることもまた可能である。例えば、下部ハウジング２２の一部分を傾斜させ、水（例えば、衣類を乾燥させた場合に溜まる水）の除去を容易にすることもできる。
【００２０】
図５は、下部ハウジングの送風組立体３０の分解図である。送風組立体３０は、衣類を乾燥及びプレスする空気を循環させるために使用することができる。当技術分野でよく知られている任意の電気機械式送風組立体３０を使用することができる。例えば、送風組立体３０は、通常、ファン３２、モーター組立体３３、及び１以上の通気孔３４を含むことができ、この通気孔はそれを通して空気を循環させるためのものである。従って、壁部がいくつかの実施形態において拡張された位置にある場合、送風組立体は、通気孔３６（図４ｂ）を通じて空気を吸い込み、通気孔３４（図５）を通じて空気を排出し、よって、チャンバーを通じて空気を循環させ、その中に受け入れられる衣類を乾燥しプレスすることができる。この通気の配置は、単に代表的なものであり、別の配置も使用可能である。
【００２１】
また、図５は下部ハウジング２２が制御組立体４２を有することができることを示している。任意の当技術分野でよく知られた制御組立体４２を使用することができる。例えば、制御組立体４２は、空気流及び温度制御スイッチを含むことができる。
【００２２】
図６〜７は、本発明の所定の実施形態によって使用することができるような衣類乾燥装置の別の実施形態を示している。本実施形態は、支持ブラケット６４４を、壁部６１４を拡張するために使用することができることを除いて、図１〜５を参照して本明細書に上述されたものと同一である。例えば、支持ブラケット６４４を、上部ハウジング６２０上に設置された穴部６２７と接続することができる。支持ブラケット６４４は、ヒンジ６４６でヒンジ式に取り付けることができる、及び／又は上部ハウジング６２０の戻り止め機構と協働するように構成された少なくとも１つのノッチ（図示せず）を有することができる。単一の支持ブラケットを含む、任意の数の支持ブラケット６４４を使用することができる。支持ブラケット６４４は、一端に、Ｌ字フランジ６４８を有することができ、このＬ字フランジは、例えば扉又はその種のもののような物体の上に取り付けるように構成されている。本発明の実施形態によって、支持ブラケット６４４は、任意の好適な物体の上に取り付けることができると考えられ、これらの支持ブラケットは、壁部６１４の拡張を上部及び下部ハウジング６２０，６２２の間で好適な間隔にすることを可能にしている。
【００２３】
様々な実施形態が記述されているが、別の実施形態も可能である。衣類乾燥装置の様々な実施例の前述の記述は、限定することを意図しておらず、実施例の任意の数の改変、組合せ、及び代替案を利用することができる。
【００２４】
本明細書に記述された実施例は、本発明の代表的な実施形態の精神と範囲から逸脱することなしに実施することができる多数の別の実施形態として、説明されているにすぎない。さらに、本発明の所定の特徴は所定の実施形態又は構成上にのみ示され得るが、これらの特徴は、本発明の範囲内に留まりながら、様々な実施形態又は構成から、及び様々な実施形態又は構成の間で、交換、追加、及び取り除くことができる。同様に、記述及び開示されている方法はまた、いつくか又は全ての開示されたステップと共に、様々なシーケンスで実行することができ、それらのステップは、本発明の精神と範囲内に依然として留まりながら記述されたものとはことなる順序で実施される。
【図面の簡単な説明】
【００２５】
【図１】本発明の所定の実施形態によって使用され得る閉じられた位置の衣類乾燥装置の正面図である。
【図２】拡張された位置の図１の装置の背面図である。
【図３】図２の装置の正面図である。
【図４ａ】図１の装置の平面図である。
【図４ｂ】図１の装置の平面図である。
【図４ｃ】図１の装置の平面図である。
【図４ｄ】拡張された位置の図１の装置の側面図である。
【図５】本発明の所定の実施形態によって使用され得る送風組立体の分解図である。
【図６】本発明の所定の実施形態によって使用され得る拡張された位置の衣類乾燥装置の正面図である。
【図７】本発明の所定の実施形態によって使用され得る拡張された位置の衣類乾燥装置の側面図である。
【符号の説明】
【００２６】
１０  衣類乾燥装置
１２  支持ポール
１４  壁部
１６  シール部材
２０  上部ハウジング
２２  下部ハウジング
２４  フランジ
２６  締結部材
２７  開口部
２８  開口部
２９  ハンドル
３２  ファン
３３  モーター組立体
３４  通気孔
３６  通気孔
３８  引込み可能電源コード
４０  脚部
４２  制御組立体
６１４  壁部
６２０  上部ハウジング
６２２  下部ハウジング
６２７  穴部
６４４  支持ブラケット
６４６  ヒンジ
６４８  Ｌ字フランジ
【図１】
2008289886.tif 000003
【図２】
2008289886.tif 000004
【図３】
2008289886.tif 000005
【図４ａ】
2008289886.tif 000006
【図４ｂ】
2008289886.tif 000007
【図４ｃ】
2008289886.tif 000008
【図４ｄ】
2008289886.tif 000009
【図５】
2008289886.tif 000010
【図６】
2008289886.tif 000011
【図７】
2008289886.tif 000012
【手続補正書】
【提出日】平成20年8月25日(2008.8.25)
【手続補正１】
【補正対象書類名】図面
【補正対象項目名】全図
【補正方法】変更
【補正の内容】
【図１】
2008289886.tif 000013
【図２】
2008289886.tif 000014
【図３】
2008289886.tif 000015
【図４ａ】
2008289886.tif 000016
【図４ｂ】
2008289886.tif 000017
【図４ｃ】
2008289886.tif 000018
【図４ｄ】
2008289886.tif 000019
【図５】
2008289886.tif 000020
【図６】
2008289886.tif 000021
【図７】
2008289886.tif 000022